(57)【特許請求の範囲】
【請求項１】
無線品質を測定する移動局であって：
移動速度を検出する速度検出部；
検出された移動速度に応じて、無線品質の平均化処理に用いるサンプル数を変更する制御部；及び
変更されたサンプル数に基づいて無線品質の測定を行う測定部；
を有し、
前記制御部は、低速移動時に高速移動時よりも無線品質の測定周期を長くするとともに、無線品質の平均化処理に用いるサンプル数を所定の期間内のサンプル数に設定する移動局。
【請求項２】
移動局での無線品質測定方法であって：
移動速度を検出するステップ；
検出された移動速度に応じて、無線品質の平均化処理に用いるサンプル数を変更するステップ；及び
変更されたサンプル数に基づいて無線品質の測定を行うステップ；
を有し、
前記変更するステップは、低速移動時に高速移動時よりも無線品質の測定周期を長くするとともに、無線品質の平均化処理に用いるサンプル数を所定の期間内のサンプル数に設定する無線品質測定方法。
【請求項３】
無線品質を測定する移動局と、該移動局と通信する制御局とを有する移動通信システムであって：
前記移動局は、
移動速度を検出する速度検出部；及び
検出された移動速度を前記制御局に送信する送信部；
前記制御局から受信したサンプル数に基づいて無線品質の測定を行う測定部；
を有し、
前記制御局は、
前記移動局から受信した移動速度に応じて、前記移動局の無線品質の平均化処理に用いるサンプル数を決定する制御部；及び
決定されたサンプル数を前記移動局に送信する送信部；
を有し、
前記制御部は、低速移動時に高速移動時よりも無線品質の測定周期を長くするとともに、無線品質の平均化処理に用いるサンプル数を所定の期間内のサンプル数に設定する移動通信システム。
【請求項４】
移動局と、該移動局と通信する制御局とを有する移動通信システムでの無線品質測定方法であって：
前記移動局が、移動速度を検出するステップ；
前記移動局が、検出された移動速度を前記制御局に送信するステップ；
前記制御局が、前記移動局から受信した移動速度に応じて、前記移動局の無線品質の平均化処理に用いるサンプル数を決定するステップ；
前記制御局が、決定されたサンプル数を前記移動局に送信するステップ；及び
前記移動局が、前記制御局から受信したサンプル数に基づいて無線品質の測定を行うステップ；
を有し、
前記決定するステップは、低速移動時に高速移動時よりも無線品質の測定周期を長くするとともに、無線品質の平均化処理に用いるサンプル数を所定の期間内のサンプル数に設定する無線品質測定方法。
【発明の詳細な説明】
【技術分野】
【０００１】
本発明は、移動局、移動通信システム及び無線品質測定方法に関する。特に、本発明は、ＵＭＴＳ（Universal Mobile Telecommunications System）及びＬＴＥ（Long Term Evolution）システムに適用可能な移動局、移動通信システム及び無線品質測定方法に関する。
【背景技術】
【０００２】
ＵＭＴＳは、通称第３又は第３．５世代携帯電話システムと呼ばれている。このＵＭＴＳシステムのアーキテクチャを図１Ａに示す。ＵＭＴＳシステムは、コアネットワーク（ＣＮ）に接続された無線ネットワーク制御局（ＲＮＣ）と、無線基地局（Ｎｏｄｅ  Ｂ）と、移動局（ＵＥ）とを含む（非特許文献１参照）。
【０００３】
無線ネットワーク制御局（ＲＮＣ）は、無線リソースの管理、無線基地局の制御等を行い、例えばハンドオーバの制御を行う制御装置である。無線基地局（Ｎｏｄｅ  Ｂ）は、移動局（ＵＥ）と無線インタフェースを介して接続される。無線基地局は、１つ或いは複数のセルをカバーする。
【０００４】
移動局が待受状態にある場合、移動局は、在圏する無線基地局（自局）や周辺に存在する無線基地局（他局）の無線品質を測定（Measurement）し、移動局のセル選択／セル再選択（cell selection/cell reselection）に用いている。また、移動局が通信状態にある場合、移動局は、自局や他局の無線品質を測定し、無線基地局に測定結果を報告し、無線ネットワーク制御局は、移動局から受信した測定結果を元に、ハンドオーバ局の選択を行っている。
【０００５】
このような測定の測定周期、フィルタリング方式及び報告周期は、無線ネットワーク制御局から通知されるか３ＧＰＰ仕様で規定される。具体的な測定方法については、３ＧＰＰ（3rd Generation Partnership Project）仕様で要求条件が仕様化されている（非特許文献２、３参照）。
【非特許文献１】Ｗ−ＣＤＭＡ移動通信方式、立川敬二監修、平成１４年３月１５日第４刷発行、９６ページ
【非特許文献２】３ＧＰＰ ＴＳ２５．１３３ ｖ７．１１．０
【非特許文献３】３ＧＰＰ ＴＳ２５．３３１ ｖ７．８．０
【発明の開示】
【発明が解決しようとする課題】
【０００６】
無線ネットワーク制御局で設定される測定周期、フィルタリング方式及び報告周期は、ネットワークの処理負荷、無線リソース状況、セルエリア設計、移動局の消費電力等を加味して、システムで一意の値が設定されている。
【０００７】
測定結果は、移動局におけるセル選択／セル再選択や、無線ネットワーク制御局におけるハンドオーバ局の選択に用いられるため、移動局の移動速度に依存して、移動局毎に最適な測定パラメータが存在すると考えられる。しかしながら現在の３ＧＰＰ仕様では、測定パラメータとしてシステムで一意な値しか設定できないため、ある特定の移動速度にのみ最適化されることになる。
【０００８】
その場合、移動速度によっては、移動局は不要な測定の実施、測定結果の報告、フィルタリング処理を行うことになり、余分な電力を消費し得る。また、無線ネットワーク制御局の処理負荷、無線リソースの圧迫にもなり得る。接続呼の継続の観点からも、最適なハンドオーバが出来ない結果、呼切断と成りうる可能性がある。
【０００９】
ＵＭＴＳシステムだけでなく、通称Ｓｕｐｅｒ  ３Ｇと呼ばれるＬＴＥ（Long Term Evolution）システムについても同様の課題が存在する。
【００１０】
そこで、本発明は、前述した課題の少なくとも１つを解決するため、移動局の移動速度に適応した測定を実施し、ネットワーク処理の改善、無線リソースの節約又は移動局の消費電力の低減を実現することを目的とする。
【課題を解決するための手段】
【００１１】
本発明の前記の目的を解決するため、本発明の移動局は、
無線品質を測定する移動局であって：
移動速度を検出する速度検出部；
検出された移動速度に応じて、無線品質の平均化処理に用いるサンプル数を変更する制御部；及び
変更されたサンプル数に基づいて無線品質の測定を行う測定部；
を有し、
前記制御部は、低速移動時に高速移動時よりも無線品質の測定周期を長くするとともに、無線品質の平均化処理に用いるサンプル数を所定の期間内のサンプル数に設定することを特徴の１つとする。
【００１２】
また、本発明の無線品質測定方法は、
移動局での無線品質測定方法であって：
移動速度を検出するステップ；
検出された移動速度に応じて、無線品質の平均化処理に用いるサンプル数を変更するステップ；及び
変更されたサンプル数に基づいて無線品質の測定を行うステップ；
を有し、
前記変更するステップは、低速移動時に高速移動時よりも無線品質の測定周期を長くするとともに、無線品質の平均化処理に用いるサンプル数を所定の期間内のサンプル数に設定することを特徴の１つとする。
【００１３】
また、本発明の移動通信システムは、
無線品質を測定する移動局と、該移動局と通信する制御局とを有する移動通信システムであって：
前記移動局は、
移動速度を検出する速度検出部；及び
検出された移動速度を前記制御局に送信する送信部；
前記制御局から受信したサンプル数に基づいて無線品質の測定を行う測定部；
を有し、
前記制御局は、
前記移動局から受信した移動速度に応じて、前記移動局の無線品質の平均化処理に用いるサンプル数を決定する制御部；及び
決定されたサンプル数を前記移動局に送信する送信部；
を有し、
前記制御部は、低速移動時に高速移動時よりも無線品質の測定周期を長くするとともに、無線品質の平均化処理に用いるサンプル数を所定の期間内のサンプル数に設定することを特徴の１つとする。
【００１４】
また、本発明の無線品質測定方法は、
移動局と、該移動局と通信する制御局とを有する移動通信システムでの無線品質測定方法であって：
前記移動局が、移動速度を検出するステップ；
前記移動局が、検出された移動速度を前記制御局に送信するステップ；
前記制御局が、前記移動局から受信した移動速度に応じて、前記移動局の無線品質の無線品質の平均化処理に用いるサンプル数を決定するステップ；
前記制御局が、決定されたサンプル数を前記移動局に送信するステップ；及び
前記移動局が、前記制御局から受信したサンプル数に基づいて無線品質の測定を行うステップ；
を有し、
前記決定するステップは、低速移動時に高速移動時よりも無線品質の測定周期を長くするとともに、無線品質の平均化処理に用いるサンプル数を所定の期間内のサンプル数に設定することを特徴の１つとする。
【発明の効果】
【００１５】
本発明の実施例によれば、移動局の移動速度に適応した測定を実施し、ネットワーク処理の改善、無線リソースの節約又は移動局の消費電力の低減を実現することが可能になる。
【発明を実施するための最良の形態】
【００１６】
本発明の実施例について、図面を参照して以下に説明する。
【００１７】
図１Ｂに、本発明の実施例に係る移動通信システムを示す。本発明の実施例が適用可能な移動通信システムには、例えばＵＭＴＳシステムやＬＴＥシステムが含まれる。図１Ｂには、本発明の実施例が適用されるＵＭＴＳシステムが示されている。なお、本発明の実施例が適用されるＬＴＥシステムでは、無線ネットワーク制御局（ＲＮＣ）が存在せず、無線基地局（ｅＮＢ）がコアネットワーク（ＣＮ）と接続される。図１Ｂに示すように、移動通信システムにおける移動局は、移動速度を検出する速度検出部と、検出した移動速度に応じて無線品質の測定パラメータ（単位時間当たりの測定回数、測定周期、測定のフィルタリング方式、測定結果の報告周期等）を決定する測定パラメータ決定部とを有する。なお、以下に説明するように、測定パラメータ決定部は、移動局ではなく、無線ネットワーク制御局及び無線基地局のような、移動局の制御を行う制御局に備えられてもよい。
【００１８】
＜第１実施例：移動局の移動速度に適応した測定周期の制御＞
本発明の第１実施例では、移動局において、移動局の移動速度に適応して測定周期を制御する方法について説明する。
【００１９】
前述のように、移動局が待受状態にある場合、移動局は、在圏する無線基地局（自局）や周辺に存在する無線基地局（他局）の無線品質を測定（Measurement）し、移動局のセル選択／セル再選択（cell selection/cell reselection）に用いている。また、移動局が通信状態にある場合、移動局は、自局や他局の無線品質を測定し、無線基地局に測定結果を報告し、無線ネットワーク制御局は、移動局から受信した測定結果を元に、ハンドオーバ局の選択を行っている。
【００２０】
本発明の第１実施例に係る移動局は、移動局自身の移動速度を検出し、移動速度に応じて、自局や他局の無線品質を測定する測定周期を変更する。移動局において移動速度を検出する方法は、周波数ドップラーからの算出、一定時間内のセル再選択回数のカウント、一定期間内にＧＰＳ測位でどれだけ移動したかのカウント等さまざまな方法が考えられる。
【００２１】
移動局が移動速度に応じて測定周期を変更する例を図２に示す。移動局は、移動局自身の移動速度が高速であると判断する場合（図２（Ｂ））（例えば、移動局が新幹線などにあり、高速で移動する場合）、移動局は停止状態のとき（図２（Ａ））よりも測定のサンプリング間隔を短くして、サンプリング回数を多くする。例えば、停止状態の時のサンプリング回数が３秒毎に１回である場合、高速移動状態の時のサンプリング回数を３秒毎に３回に設定する。すなわち、移動局は、移動速度が高速である場合、単位時間当たりの測定回数を多くし、測定周期を短くする。このようにすることにより、移動による受信レベルの変動の影響を少なくすることができる。
【００２２】
また、移動局は、移動局自身の移動速度が低速であると判断する場合（又は停止状態であると判断する場合）、移動局は高速状態のときよりも測定のサンプリング間隔を長くして、サンプリング回数を少なくする。すなわち、移動局は、移動速度が低速である場合、単位時間当たりの測定回数を少なくし、測定周期を長くする。このようにすることにより、移動局の消費電力を低減することができる。
【００２３】
なお、図２では、停止状態と高速状態とを示しているが、移動局の移動速度の検出精度によって、段階を細かく分けてもよい。また、高速状態では、単純に図２(Ｂ)に示すように測定周期を短くするだけでなく、図２（Ｃ）に示すように、測定を行う周期を短くしつつ、１回の測定周期で、複数回の測定を行ってもよい。例えば、測定を行う周期Ａを停止状態の測定周期より短くして（或いは停止状態の測定周期と同じにして）、１回の測定周期Ａで、測定周期Ａより短い測定周期Ｂで２回の測定を行ってもよい。
【００２４】
また、移動速度ごとに細かく測定周期を設定する必要がない場合には、静止時に対して測定周期をスケーリングするように単純化してもよい。例えば、低速移動時には、静止時の測定周期に１．０の係数を乗算して測定周期を求め、中速移動時には、静止時の測定周期に０．６６（２／３）の係数を乗算して測定周期を求め、高速移動時には、静止時の測定周期に０．３３（１／３）の係数を乗算して測定周期を求めてもよい。
【００２５】
図３を参照して、本発明の第１実施例に係る移動局の測定周期制御方法の手順を説明する。
【００２６】
まず、移動局は、移動局自身の移動速度を検出する（Ｓ１０１）。検出された移動速度が４０ｋｍ／ｈ以下である場合（Ｓ１０３：ＮＯ）、移動局は、低速移動状態又は静止状態であると判断し、単位時間当たりのサンプリング回数を１回に設定する（Ｓ１０７）。
【００２７】
検出された移動速度が４０ｋｍ／ｈより大きい場合（Ｓ１０３：ＹＥＳ）、移動局は、更に移動速度が３００ｋｍ／ｈより大きいか否かを判定する（Ｓ１０５）。検出された移動速度が４０ｋｍ／ｈより大きく（Ｓ１０３：ＹＥＳ）、３００ｋｍ／ｈ以下である場合（Ｓ１０５：ＮＯ）、移動局は、中速移動状態であると判断し、単位時間当たりのサンプリング回数を２回に設定する（Ｓ１０９）。
【００２８】
また、検出された移動速度が３００ｋｍ／ｈより大きい場合（Ｓ１０５：ＹＥＳ）、移動局は、高速移動状態であると判断し、単位時間当たりのサンプリング回数を３回に設定する（Ｓ１１１）。移動局は、設定されたサンプリング回数に従って無線品質を測定する（Ｓ１１３）。
【００２９】
＜第２実施例：移動局の移動速度に適応したフィルタリング方式の制御＞
本発明の第２実施例では、移動局において、移動局の移動速度に適応して測定のフィルタリング方式を制御する方法について説明する。
【００３０】
本発明の第２実施例に係る移動局は、移動局自身の移動速度を検出し、移動速度に応じて、自局や他局の無線品質を測定するときのフィルタリング方式を変更する。無線品質を測定するときのフィルタリング処理とは、複数取得したサンプルを平均化することや、特定のサンプルを除くことによって、結果の誤差を取り除く処理のことを言う。従って、フィルタリング方式は、フィルタリングするサンプル数や、誤差を取り除くときに用いる指定範囲（平均値からの所定の範囲）により決まる。フィルタリング処理には、ハードウェアで実施する（より低いレイヤで実施する）Ｌ１／Ｌ２フィルタリング、ソフトウェアで実施する（より高いレイヤで実施する）Ｌ３フィルタリングなどが存在する。一般に、Ｌ１／Ｌ２フィルタリングで行う方が高速な処理を実現できる。従って、Ｌ１／Ｌ２フィルタリングは、短時間のフィルタリング処理のために用いられ、Ｌ３フィルタリングは、長時間におけるフィルタリング処理のために用いられる。
【００３１】
移動局が移動速度に応じてフィルタリング方式を変更する例を図４に示す。移動局は、移動局自身の移動速度が高速であると判断する場合（図４（Ｂ））、移動局は停止状態のとき（図４（Ａ））よりもフィルタリング処理に用いるサンプル数（平均化に用いるサンプル数）を少なくする。フィルタリング処理で平均化された測定結果を報告する場合、フィルタリング処理に用いるサンプル数を少なくすることにより、無線品質の報告タイミングは多くなる。このようにすることにより、移動による受信レベルの変動の影響を少なくすることができる。
【００３２】
また、移動局は、移動局自身の移動速度が低速であると判断する場合（又は停止状態であると判断する場合）、移動局は高速状態のときよりもフィルタリング処理に用いるサンプル数を多くする。フィルタリング処理で平均化された測定結果を報告する場合、フィルタリング処理に用いるサンプル数を多くすることにより、無線品質の報告タイミングは少なくなる。このようにすることにより、移動局の消費電力を低減することができる。
【００３３】
なお、第１実施例のように、測定周期（単位時間当たりのサンプリング回数）を制御する方法を同時に用いる場合には、測定周期を考慮してフィルタリング処理に用いるサンプル数を決定すべきである。例えば、低速移動時に、移動局が１秒毎に測定を行い、その５回の測定結果をフィルタリングして報告する場合、測定結果の報告は５秒毎に行われることになる。移動局の移動速度によっては、５秒毎の測定結果の報告では、測定周期が長すぎる可能性が生じる。このように、第１実施例と同時に第２実施例を用いる場合には、フィルタリング処理に用いるサンプル数をより少なく設定してもよい。
【００３４】
また、移動速度ごとに細かくフィルタリング処理に用いるサンプル数を設定する必要がない場合には、静止時に対してサンプル数をスケーリングするように単純化してもよい。例えば、低速移動時には、静止時のサンプル数に１．０の係数を乗算してサンプル数を求め、中速移動時には、静止時の測定周期に０．６の係数を乗算してサンプル数を求め、高速移動時には、静止時の測定周期に０．４の係数を乗算してサンプル数を求めてもよい。
【００３５】
図５を参照して、本発明の第２実施例に係る移動局の測定周期制御方法の手順を説明する。
【００３６】
まず、移動局は、移動局自身の移動速度を検出する（Ｓ２０１）。検出された移動速度が４０ｋｍ／ｈ以下である場合（Ｓ２０３：ＮＯ）、移動局は、低速移動状態又は静止状態であると判断し、５個のサンプルを用いて平均化するフィルタリング方式を適用する（Ｓ２０７）。なお、このフィルタリング方式で、指定範囲外の値（平均値から所定の範囲を超える値）が削除されてもよい。
【００３７】
検出された移動速度が４０ｋｍ／ｈより大きい場合（Ｓ２０３：ＹＥＳ）、移動局は、更に移動速度が３００ｋｍ／ｈより大きいか否かを判定する（Ｓ２０５）。検出された移動速度が４０ｋｍ／ｈより大きく（Ｓ２０３：ＹＥＳ）、３００ｋｍ／ｈ以下である場合（Ｓ２０５：ＮＯ）、移動局は、中速移動状態であると判断し、３個のサンプルを用いて平均化するフィルタリング方式を適用する（Ｓ２０９）。なお、このフィルタリング方式で、指定範囲外の値（平均値から所定の範囲を超える値）が削除されてもよい。
【００３８】
また、検出された移動速度が３００ｋｍ／ｈより大きい場合（Ｓ２０５：ＹＥＳ）、移動局は、高速移動状態であると判断し、２個のサンプルを用いて平均化するフィルタリング方式を適用する（Ｓ２１１）。なお、このフィルタリング方式で、指定範囲外の値（平均値から所定の範囲を超える値）が削除されてもよい。移動局は、設定されたサンプル数に従ってフィルタリング処理を行い、無線品質の測定結果を報告する（Ｓ２１３）。或いは、無線品質の測定結果を移動局のセル選択／再選択に用いる。
【００３９】
＜第３実施例：移動局の移動速度に適応した測定結果の報告周期の制御＞
本発明の第３実施例では、移動局において、移動局の移動速度に適応して測定結果の報告周期を制御する方法について説明する。
【００４０】
本発明の第３実施例に係る移動局は、移動局自身の移動速度を検出し、移動速度に応じて、自局や他局の無線品質を測定し、測定結果を報告するときの報告周期を変更する。
【００４１】
移動局が移動速度に応じて測定結果の報告周期を変更する例を図６に示す。移動局は、移動局自身の移動速度が高速であると判断する場合（図６（Ｂ））、移動局は停止状態のとき（図６（Ａ））よりも測定結果の報告周期を短くする。このようにすることにより、移動による受信レベルの変動の影響による呼切断などを少なくし、無線ネットワーク制御局でハンドオーバの判定を容易にすることができる。
【００４２】
また、移動局は、移動局自身の移動速度が低速であると判断する場合（又は停止状態であると判断する場合）、移動局は高速状態のときよりも測定結果の報告周期を長くする。このようにすることにより、移動局の消費電力を低減することができる。
【００４３】
なお、移動速度ごとに細かく報告周期を設定する必要がない場合には、静止時に対して報告周期をスケーリングするように単純化してもよい。例えば、低速移動時には、静止時の報告周期に１．０の係数を乗算して報告周期を求め、中速移動時には、静止時の報告周期に０．２５の係数を乗算して報告周期を求め、高速移動時には、静止時の報告周期に０．１の係数を乗算して報告周期を求めてもよい。
【００４４】
図７を参照して、本発明の第３実施例に係る移動局の測定結果報告周期制御方法の手順を説明する。
【００４５】
まず、移動局は、移動局自身の移動速度を検出する（Ｓ３０１）。検出された移動速度が４０ｋｍ／ｈ以下である場合（Ｓ３０３：ＮＯ）、移動局は、低速移動状態又は静止状態であると判断し、報告周期を２秒に設定する（３２０７）。
【００４６】
検出された移動速度が４０ｋｍ／ｈより大きい場合（Ｓ３０３：ＹＥＳ）、移動局は、更に移動速度が３００ｋｍ／ｈより大きいか否かを判定する（Ｓ３０５）。検出された移動速度が４０ｋｍ／ｈより大きく（Ｓ３０３：ＹＥＳ）、３００ｋｍ／ｈ以下である場合（Ｓ３０５：ＮＯ）、移動局は、中速移動状態であると判断し、報告周期を０．５秒に設定する。
【００４７】
また、検出された移動速度が３００ｋｍ／ｈより大きい場合（Ｓ３０５：ＹＥＳ）、移動局は、高速移動状態であると判断し、報告周期を０．２秒に設定する（Ｓ３１１）。移動局は、設定された報告周期に従って、無線品質の測定結果を報告する（Ｓ３１３）。
【００４８】
＜移動局の構成＞
図８を参照して、本発明の第１〜第３実施例に係る移動局１０の構成図を説明する。移動局１０は、受信・測定部１０１と、フィルタリング部１０３と、制御部１０５と、速度検出部１０７と、送信部１０９とを有する。
【００４９】
受信・測定部１０１は、在圏する無線基地局（自局）や周辺に存在する無線基地局（他局）から所定の信号を受信し、無線品質（サンプル）を測定する。なお、無線品質を測定するときの単位時間当たりの測定回数又は測定周期は、制御部１０５により指示される。
【００５０】
フィルタリング部１０３は、受信・測定部１０１で測定された複数のサンプルを平均化したり、指定範囲外の値を削除する。なお、無線品質を測定するときのフィルタリング方式は、制御部１０５により指示される。
【００５１】
制御部１０５は、速度検出部１０７により検出された移動局の速度に応じて、単位時間当たりの測定回数、測定周期、測定のフィルタリング方式、測定結果の報告周期のような無線品質の測定パラメータを変更する。具体的には、移動速度が高速である場合、受信・測定部１０１での単位時間当たりの測定回数を多くし、測定周期を短くしてもよい。また、移動速度が高速である場合、フィルタリング部１０３でフィルタリング処理に用いるサンプル数を少なくしてもよい。更に、移動速度が高速である場合、送信部１０９で測定結果を報告する報告周期を短くしてもよい。一方、移動速度が低速である場合、受信・測定部１０１での単位時間当たりの測定回数を小さくし、測定周期を長くしてもよい。また、移動速度が低速である場合、フィルタリング部１０３でフィルタリング処理に用いるサンプル数を多くしてもよい。更に、移動速度が低速である場合、送信部１０９で測定結果を報告する報告周期を長くしてもよい。
【００５２】
送信部１０９は、無線品質の測定結果（フィルタリング後の測定結果）を基地局や無線ネットワーク制御局に送信する。なお、測定結果の報告周期は、制御部１０５により指示される。
【００５３】
セル選択／再選択部１１１は、待受状態にある場合、自局や他局の無線品質の測定結果（フィルタリング後の測定結果）に基づいて、セル選択／セル再選択を行う。
【００５４】
＜第４実施例：無線ネットワーク制御局による移動局の移動速度に適応した測定パラメータの制御＞
第１〜第３実施例では、移動局自身で移動局の移動速度を検出し、単位時間当たりの測定回数、測定周期、測定のフィルタリング方式、測定結果の報告周期のような、無線品質の測定パラメータを変更する。これに対して、第４実施例では、移動局において、移動速度を検出し、これを無線ネットワーク制御局のような制御局に通知する。更に、無線ネットワーク制御局で、ネットワークの処理負荷、無線リソース状況、セルエリア設計等を考慮した上で、最適な無線品質の測定パラメータを決定する。このように、無線ネットワーク制御局で測定パラメータを決定することにより、ネットワーク全体として効率的な処理を実現することができる。第１〜第３実施例では、移動局が移動局自身の移動速度だけ考慮して測定パラメータを変更するのに対して、無線ネットワーク制御局では、さらにネットワークの処理負荷、無線リソース状況、セルエリア設計などを考慮できるためである。
【００５５】
図９を参照して、本発明の第４実施例に係る移動通信システムでの測定パラメータ制御方法の手順を説明する。
【００５６】
まず、移動局は、移動局自身の移動速度を検出する（Ｓ４０１）。検出された移動速度は、無線基地局を介して無線ネットワーク制御局に送信される（Ｓ４０３）。
【００５７】
無線ネットワーク制御局は、移動局から受信した移動速度に応じて、単位時間当たりの測定回数、測定周期、測定のフィルタリング方式、測定結果の報告周期のような、移動局の無線品質の測定パラメータを決定する（Ｓ４０５）。このときに、無線ネットワーク制御局は、ネットワークの処理負荷、無線リソース状況、セルエリア設計を更に考慮して、無線品質の測定パラメータを決定してもよい。決定された測定パラメータは、無線基地局を介して移動局に送信される（Ｓ４０７）。
【００５８】
移動局は、受信した移動速度に応じて無線パラメータを変更し（Ｓ４０９）、無線品質を測定する（Ｓ４１１）。測定された無線品質は、無線基地局を介して無線ネットワーク制御局に送信される（Ｓ４１３）。
【００５９】
＜無線ネットワーク制御局の構成＞
図１０を参照して、本発明の第４実施例に係る無線ネットワーク制御局２０の構成図を説明する。無線ネットワーク制御局２０は、受信部２０１と、測定パラメータ決定部２０３と、送信部２０５とを有する。
【００６０】
受信部２０１は、移動局から移動速度を受信する。測定パラメータ決定部２０３は、移動局から受信した移動速度に応じて、単位時間当たりの測定回数、測定周期、測定のフィルタリング方式、測定結果の報告周期のような、移動局の無線品質の測定パラメータを決定する。送信部２０５は、測定パラメータ決定部２０３で決定された測定パラメータを移動局に送信する。
【００６１】
なお、第４実施例の無線ネットワーク制御局と共に用いられる移動局は、図８と同様の構成を有する。ただし、第４実施例で用いられる移動局は、制御部１０５で速度検出部１０７から移動速度を受け取り、送信部１０７から移動速度を無線ネットワーク制御局２０に送信する。更に、無線ネットワーク制御局で決定された測定パラメータを受信・測定部１０１で受信し、その測定パラメータに基づいて、処理部１０５から受信・測定部１０１、フィルタリング部１０３、送信部１０９及びセル選択／再選択部１１１に指示する。
【００６２】
なお、第４実施例では、無線ネットワーク制御局において無線品質の測定パラメータを決定しているが、移動局を制御する基地局のような他の装置で無線品質の測定パラメータを決定してもよい。
【００６３】
上記のように、本願発明の実施例では、移動局は、移動局自身の移動速度を検出し、検出した移動速度に基づいて、単位時間当たりの測定回数、測定周期、測定のフィルタリング方式、測定結果の報告周期のような測定パラメータを変更する。これらの測定パラメータは、１つだけ変更されてもよく、組み合わせて変更されてもよい。なお、測定周期だけを変更して、測定結果の報告周期を変更しない場合、移動速度に適応した測定はできているが、その報告周期が最適化されないため、効果が小さくなる。従って、これらの測定パラメータを組み合わせて変更することで、さらに最適なパラメータ設定をすることができる。
【００６４】
なお、移動局は、移動速度を無線ネットワーク制御局に通知し、無線ネットワーク制御局から測定パラメータの変更指示を受信してもよい。
【００６５】
このように、本願発明の実施例によれば、移動局の移動速度に応じて測定パラメータを変更することにより、ネットワーク処理の改善、無線リソースの節約又は移動局の消費電力の低減が実現できる。また、移動環境に応じたハンドオーバができ、呼の接続率を改善することができる。また、移動局自体で移動速度を検出することにより、短時間で正確な速度測定が可能であり、また移動局が待受状態の時にも速度検出することができ、適切な測定パラメータの制御が可能になる。
【００６６】
本発明の実施例では、ＵＭＴＳシステム及びＬＴＥシステムを例に挙げて説明した。しかし、本発明は、上記の実施例に限定されることなく、他の移動通信システムに適用可能である。
【図面の簡単な説明】
【００６７】
【図１Ａ】ＵＭＴＳにおけるネットワークアーキテクチャを示す図
【図１Ｂ】本発明の実施例に係る無線通信システムを示す図
【図２】本発明の第１実施例に係る移動局の測定周期を示す図
【図３】本発明の第１実施例に係る移動局の測定周期制御方法を示すフローチャート
【図４】本発明の第２実施例に係る移動局のフィルタリング制御方法を示す図
【図５】本発明の第２実施例に係る移動局のフィルタリング制御方法を示すフローチャート
【図６】本発明の第３実施例に係る移動局の測定結果報告周期を示す図
【図７】本発明の第３実施例に係る移動局の測定結果報告周期制御方法を示すフローチャート
【図８】本発明の第１実施例〜第３実施例に係る移動局の構成図
【図９】本発明の第４実施例に係る無線通信システムでの測定パラメータ制御方法を示すシークエンス図
【図１０】本発明の第４実施例に係る無線ネットワーク制御局の構成図
【符号の説明】
【００６８】
１０  移動局
１０１  受信・測定部
１０３  フィルタリング部
１０５  制御部
１０７  速度検出部
１０９  送信部
１１１  セル選択／再選択部
２０  無線ネットワーク制御局
２０１  受信部
２０３  無線パラメータ決定部
２０５  送信部
【図１Ａ】
0005202102.tif 000002
【図１Ｂ】
0005202102.tif 000003
【図２】
0005202102.tif 000004
【図３】
0005202102.tif 000005
【図４】
0005202102.tif 000006
【図５】
0005202102.tif 000007
【図６】
0005202102.tif 000008
【図７】
0005202102.tif 000009
【図８】
0005202102.tif 000010
【図９】
0005202102.tif 000011
【図１０】
0005202102.tif 000012